(57)【要約】      （修正有）【課題】装着されるICカードに対して、高いセキュリティを有する携帯通信端末を提供する。【解決手段】携帯通信端末は、ICカードの装着箇所からICカードを取りはずし不可能にするためのロック機構と、ロック機構のロック動作又はアンロック動作を制御する制御部とを備える。【選択図】図２
2007251244.tif 000002
【特許請求の範囲】
【請求項１】
ICカードを装着する携帯通信端末において、
前記ICカードの装着箇所から前記ICカードを取りはずし不可能にするためのロック機構と、
前記ロック機構のロック動作又はアンロック動作を制御する制御部とを備えることを特徴とする携帯通信端末。
【請求項２】
請求項１において、
前記ICカードの装着箇所を覆うカバーを備え、
前記ロック機構は、前記カバーが開かないように前記カバーをロックすることを特徴とする携帯通信端末。
【請求項３】
請求項１又は２において、
前記制御部は、所定の認証処理を実行し、当該認証処理の結果に基づいて、前記ロック機構のロック動作又はアンロック動作の可否を決定することを特徴とする携帯通信端末。
【発明の詳細な説明】
【技術分野】
【０００１】
本発明は、USIM(Universal Subscriber Identity Module)カードのようなICカードを装着する携帯通信端末に関し、特に、装着されるICカードに対して高いセキュリティを有する携帯通信端末に関する。
【背景技術】
【０００２】
第三世代（３Ｇ）携帯電話機は、USIM(Universal Subscriber Identity Module：ユニバーサル・サブスクライバ・アイデンティティ・モジュール)カードと呼ばれるICカードを内部に装着している。通常、携帯電話機のバッテリ収納位置のすぐ近くにUSIMカードを装着するスペースが設けられ、バッテリを取りはずさないと、USIMカードも取り外せない構造となっている。USIMカード内のデータ破壊を防止するために、USIMカードの脱着時に必ず電源を切る必要があるからである。
【０００３】
USIMカードは、第三世代の携帯電話機に必ず装着され、不揮発性メモリとＣＰＵを備えたＩＣカードである。USIMカード内には、ユーザの電話番号や契約している携帯電話事業者の情報などが記録されている。USIMカードを携帯電話機に装着することにより、その携帯電話をカード内に記録されている電話番号で利用することができるようになる。すなわち、ユーザ情報がUSIMカードに記憶されているため、USIMカードを装着しなければ、携帯電話機は動作せず、その通信機能を利用することはできない。また、携帯電話機を変更する場合、変更前の携帯電話機に装着されていたUSIMカードを変更後の携帯電話に装着することで、同一の電話番号による利用が可能となる。
【０００４】
なお、USIMカードは、電話番号だけでなく、アドレス帳などのデータも記録可能であり、携帯電話機を変更した場合であっても、アドレス帳などのデータを引き続きそのまま使用することができる。さらに、USIMカードは、ユーザのPINコード（暗証番号）も記録可能であり、ユーザ認証機能に利用することもできる。
【０００５】
また、ある国の携帯電話事業者の契約者が他国でも携帯電話機を利用できるローミングサービスを利用する際も、ユーザは、他国で携帯電話機をレンタルして、その携帯電話機にUSIMカードを装着することで、他国で携帯電話機を利用できるようになる。
【０００６】
図１は、従来における携帯電話機内でのUSIMカードの装着状態の例を説明する図である。図１（ａ）は携帯電話機の全体的な斜視図、図１（ｂ）は部分的な側面図である。USIMカードは、上述したように、携帯電話機の本体背面を開けて、バッテリ（電池パック）を取り出すと、USIMカードの装着箇所が視認可能に現れ、コネクタに接続するUSIMカードを容易に脱着することができる。すなわち、従来の構成では、電池パックをはずすと、USIMカードが容易に取り出せる構造となっている。
【０００７】
下記特許文献１は、着脱可能なICカードを装着し通信可能となる移動無線通信装置において、移動無線装置に別のICカードが装着された場合、所定の識別コードの比較に基づいて、その移動無線通信装置の使用を制限又は使用不可能とする発明について記載している。
【特許文献１】特開２０００−３０８１４０号公報
【発明の開示】
【発明が解決しようとする課題】
【０００８】
USIMカードは、上述したように、携帯電話機の利用に不可欠なICカードであり、例えば、携帯電話機が盗難された場合、仮に携帯電話機本体は見つかっても、USIMカードだけ抜き取られていては、携帯電話機を利用することはできなくなる。また、悪意のユーザが、他人の携帯電話機からUSIMカードを盗むなどして取得し、それを自己の携帯電話機に装着することで、通信料金を他人に負担させて、自己の携帯電話機を利用するなど、USIMカードが悪用されるおそれがある。
【０００９】
しかしながら、従来の構成では、携帯電話機本体からUSIMカードを容易に取り出せる構造となっているため、USIMカードに対するセキュリティが低いという問題がある。
【００１０】
そこで、本発明の目的は、USIMカードのようなICカードを装着する携帯通信端末について、装着されるICカードに対して高いセキュリティを有する携帯通信端末を提供することにある。
【課題を解決するための手段】
【００１１】
上記目的を達成するための本発明の携帯通信端末の第一の構成は、ICカードを装着する携帯通信端末において、前記ICカードの装着箇所から前記ICカードを取りはずし不可能にするためのロック機構と、前記ロック機構のロック動作又はアンロック動作を制御する制御部とを備えることを特徴とする。
【００１２】
ICカードは、例えば、携帯通信端末を利用可能とするためのユーザ情報を記憶したUSIMカードである。
【００１３】
本発明の携帯通信端末の第二の構成は、上記第一の構成において、前記ICカードの装着箇所を覆うカバーを備え、前記ロック機構は、前記カバーが開かないように前記カバーをロックすることを特徴とする。
【００１４】
本発明の携帯通信端末の第三の構成は、上記第一又は第二の構成において、前記制御部は、所定の認証処理を実行し、当該認証処理の結果に基づいて、前記ロック機構のロック動作又はアンロック動作の可否を決定することを特徴とする。
【発明の効果】
【００１５】
本発明によれば、携帯通信端末に装着されたICカードを取りはずし不可能にするロック機構が設けられるので、ICカードに対する高いセキュリティを確保することができる。
【発明を実施するための最良の形態】
【００１６】
以下、図面を参照して本発明の実施の形態について説明する。しかしながら、かかる実施の形態例が、本発明の技術的範囲を限定するものではない。
【００１７】
本発明の実施の形態例では、ICカードを装着する携帯通信端末として、USIMカードを装着する携帯電話機を一例に説明するが、ICカードはUSIMカードに限らず、例えば、SIM(Subscriber Identity Module)カードでもよいし、別の規格に基づいたICカードでもよい。また、ICカードを装着する携帯通信端末は、携帯電話機に限られず、例えば、データ通信用カード型端末であってよい。
【００１８】
図２は、本発明の実施の形態における携帯電話機の第一の構成例を示す図である。図２（ａ）は携帯電話機の全体的な斜視図、図２（ｂ）は部分的な側面図である。USIMカードは、携帯電話機１の本体背面において、バッテリ（電池パック）２の収納位置の奥に、USIMカード装着箇所である開口部が設けられる。USIMカード３は、USIMカード装着箇所にはめ込まれ、コネクタ４と接続する。さらに、このUSIMカード装着箇所を覆うカバー５が取り付けられている。USIMカード３を脱着する際は、電池パック２をはずし、さらに、カバー５を開ける必要がある。
【００１９】
そして、図２（ｂ）に示されるように、USIMカード３装着箇所を覆うカバーをロックするロック機構６が設けられ、所定の認証処理によりカバー５のロック設定／解除を行うことができる。
【００２０】
図３は、カバー５のロック機構６の動作例を説明する図である。板状のカバー５は、携帯電話機１内でスライドするように配置され、例えば、その先端部分において、面から突出する突出部５Ａを有する。ロック機構６にも、収容可能に可動する突出部６Ａが設けられ、ロック機構６の突出部６Ａを駆動するためのモータなどで構成される駆動回路（図示せず）を内部に備える。
【００２１】
図３（ａ）に示されるように、カバー５の突出部５Ａがロック機構６内部まで延びた位置で、突出部６Ａが突出するように制御部７がロック機構６を制御することで、カバー５の突出部５Ａは、ロック機構６Ａの突出部６Ａに引っかかり、カバー５を開けることができなくなる。すなわち、カバー５はロックされる。
【００２２】
ロック機構６の突出部６Ａの突出動作（ロック）／収容動作（アンロック）は、制御部７により制御される。制御部７は、突出６Ａを動作させるための独立した制御回路で構成されてもよいし、携帯電話機のＣＰＵが実行するアプリケーションの一機能として制御機能が提供され、駆動回路を有する実現されてもよい。
【００２３】
図３（ｂ）に示されるように、カバー５がロックされた状態からアンロックする（ロックを解除する）場合は、制御部７は、ロック機構６の突出部６Ａを収容するように制御することで、カバー５の突出部５Ａはロック機構の突出部６Ａに引っかかることなく、スライドして開けることができる状態となる。
【００２４】
こうして、図３（ｃ）に示されるように、アンロックされたカバー５が開けられ、図３（ｄ）に示すように、USIMカード３を取りはずすことができる。
【００２５】
USIMカード収納箇所を覆うカバー５は、USIMカード収納箇所への水滴やゴミの進入を防止することができるとともに、USIMカードを見えないようにすることでUSIMカードの存在をわからなくし、盗難防止に寄与する。電池パックをはずした際に、USIMカードがカバー５に覆われて見えないと、USIMカードの収納箇所がすぐに気づかれず、USIMカードの取りはずしを困難にする。
【００２６】
さらに、カバー５をロックするロック機構６を設け、カバー５が開かないようにすることで、USIMカードの盗難及び悪用に対するセキュリティをさらに高めることができる。カバー５のロック／アンロックは、例えば、パスワードや指紋などに基づいた認証処理により実行される。
【００２７】
図４は、本発明の実施の形態における携帯電話機の第二の構成例を示す図である。第二の構成例では、USIMカードの収納箇所が第一の構成例と異なる。図４（ａ）は携帯電話機の全体的な斜視図、図４（ｂ）は部分的な側面図である。USIMカード３は、携帯電話機１の本体背面において、バッテリ（電池パック）２をはずすと現れる差し込み口に差し込まれて、USIMカード装着箇所に装着される。より具体的には、USIMカード３は、USIMカードを保持するUSIMカードトレイ８に載せられて、USIMカード装着箇所に差し込まれ、コネクタ４と接続する。
【００２８】
第二の構成例では、USIMカードトレイ８がUSIMカード装着箇所を覆うカバーの役割を有し、図４（ｂ）に示されるように、差し込み口を覆うカバー部８Ａを備える。USIMカード３を脱着する際は、電池パック２をはずし、さらに、USIMカード３を保持するUSIMカードトレイをUSIMカード装着箇所から引き出す必要がある。
【００２９】
そして、図４（ｂ）に示されるように、USIMカードトレイ８をロックするロック機構６が設けられ、所定の認証処理によりUSIMカードトレイ８のロック設定／解除を行うことができる。
【００３０】
図５は、USIMカードトレイ８のロック機構６の動作例を説明する図である。USIMカードトレイ８は、USIMカード装着箇所から引き出し可能に配置されているので、USIMカードトレイ８を引き出し不可とするように突出する突出部６Ａを有するロック機構６が設けられる。第一の構成例と同様に、ロック機構６は、突出部６Ａを駆動するためのモータなどで構成される駆動回路（図示せず）を内部に備える。ロック機構６の突出部６Ａの突出動作（ロック）／収容動作（アンロック）は、制御部７により制御される。制御部７は、突出６Ａを動作させるための独立した制御回路で構成されてもよいし、携帯電話機のＣＰＵが実行するアプリケーションの一機能として制御機能が提供され、駆動回路を有する実現されてもよい。
【００３１】
図５（ａ）に示されるように、突出部６Ａが突出するように制御部７がロック機構６を制御することで、USIMカードトレイ８は、ロック機構６Ａの突出部６Ａに引っかかり、USIMカード８は、引き出すことができなくなる。すなわち、USIMカードトレイ８はロックされる。
【００３２】
図５（ｂ）に示されるように、USIMカードトレイ８がロックされた状態からアンロックする（ロックを解除する）場合は、制御部７は、ロック機構６の突出部６Ａを収容するように制御することで、USIMカードトレイ８はロック機構６の突出部６Ａに引っかかることなく、引き出し可能な状態となる。
【００３３】
こうして、図５（ｃ）に示されるように、アンロックされたUSIMカードトレイ８が引き出され、図５（ｄ）に示すように、USIMカード３を取り出すことができる。
【００３４】
図６は、ロック機構６を制御する制御部７の処理フローチャートである。携帯電話機１のユーザによる所定のキーボタン操作に応じて、制御部７は、USIMカードロック機能の操作メニューを起動し、現在のロック機構６のロック／アンロック状態の情報を取得する（S100）。
【００３５】
ステップS101の判定処理において、現在、ロック機構６がロック状態と判定すると、ユーザ操作によるアンロック指示操作の有無を判定し(S102)、アンロック指示操作があると、パスワードの入力を要求する（S103）。入力されたパスワードと携帯電話機１のメモリにあらかじめ登録されているパスワードとを照合し（S104）、一致する場合は、ロック機構６をアンロック状態にするように制御する（S105）。すなわち、ロック機構６の突出部６Ａがロック機構６内部に収容されるように突出部６Ａを駆動制御する。一致しない場合は、ロック機構６を駆動しない。従って、ロック状態のままである。
【００３６】
一方、ステップS101の判定処理において、現在、ロック機構６がアンロック状態と判定すると、ユーザ操作によるロック指示操作の有無を判定し(S106)、ロック指示操作があると、パスワードの入力を要求する（S107）。入力されたパスワードと携帯電話機１のメモリにあらかじめ登録されているパスワードとを照合し（S108）、一致する場合は、ロック機構６をロック状態にするように制御する（S109）。すなわち、ロック機構６の突出部６Ａがロック機構６内部から突出するように突出部６Ａを駆動制御する。一致しない場合は、ロック機構６を駆動しない。従って、アンロック状態のままである。
【００３７】
このように、ロック機構６の動作の可否を認証処理結果により判定することで、携帯電話機が盗難された場合でも、悪意の他人にアンロック操作され、USIMカードを取り出されることを防止することができる。
【００３８】
なお、図６の処理において、パスワードによる認証処理に代わって、指紋などの生体情報による認証処理が行われてもよい。
【００３９】
また、上述の実施の形態では、USIMカードの装着箇所を覆うカバー（USIMカードトレイも含む）をロックすることで、USIMカードを取りはずし不可能とする例について説明したが、ロック機構は、カバーをロックする場合に限られない。例えば、USIMカードを差し込み口から押し込むことで、USIMカード装着箇所に装着され、装着された状態で再度USIMカードを押し込むことで、USIMカードから差し込み口から出てくるようにバネを用いた装着機構が知られている。ロック機構は、この装着機構の動作をロックするように設けられてもよい。
【図面の簡単な説明】
【００４０】
【図１】従来における携帯電話機内でのUSIMカードの装着状態の例を説明する図である。
【図２】本発明の実施の形態における携帯通信端末の第一の構成例を示す図である。
【図３】第一の構成例におけるカバー５のロック機構６の動作例を説明する図である。
【図４】本発明の実施の形態における携帯通信端末の第二の構成例を示す図である。
【図５】第二の構成例におけるUSIMカードトレイ８のロック機構６の動作例を説明する図である。
【図６】ロック機構６を制御する制御部７の処理フローチャートである。
【符号の説明】
【００４１】
１：携帯電話機、２：バッテリ（電池パック）、３：USIMカード、４：コネクタ、５：カバー、６：ロック機構、７：制御部、８：USIMカードトレイ（カバー）
【図１】
2007251244.tif 000003
【図２】
2007251244.tif 000004
【図３】
2007251244.tif 000005
【図４】
2007251244.tif 000006
【図５】
2007251244.tif 000007
【図６】
2007251244.tif 000008